(57)【要約】【課題】大規模なハードウェア構成を必要とすることなく、複数の受信機の校正を確実に実施できるようにする。【解決手段】アンテナ素子Ａ１で受信された校正信号１１０は、分配器１２０を介して、受信機Ｒ１に入力されるとともに、分配器１２０により分配され、カプラＣｋを介して、受信機Ｒｋに入力される。ここで、ｋ＝２，・・・，ｎとする。受信機Ｒ１は、入力された校正信号１１０のアナログデジタル変換を行う。アナログデジタル変換後の校正信号１１０は、受信機Ｒ１から信号処理器１５０に入力される。受信機Ｒｋも、受信機Ｒ１と同様に、入力された校正信号１１０のアナログデジタル変換を行う。アナログデジタル変換後の校正信号１１０は、受信機Ｒｋから信号処理器１５０に入力される。信号処理器１５０は、入力された校正信号１１０に基づいて、受信機Ｒ１〜Ｒｎのそれぞれの校正を行う。【選択図】図１
2017143465.tif 000002
【特許請求の範囲】
【請求項１】
第１アンテナ素子で受信されたチャンネル信号と校正信号とのアナログデジタル変換を行う第１受信機と、
前記第１アンテナ素子で受信された校正信号を分配する分配器と、
第２アンテナ素子で受信されたチャンネル信号と前記分配器により分配された校正信号とのアナログデジタル変換を行う第２受信機と、
前記第１受信機と前記第２受信機とのそれぞれによる変換後のチャンネル信号のデジタル信号処理を行うとともに、前記第１受信機と前記第２受信機とのそれぞれによる変換後の校正信号に基づいて、前記第１受信機と前記第２受信機とのそれぞれの校正を行う信号処理器とを備える受信装置。
【請求項２】
前記分配器から入力される信号と、前記第２アンテナ素子から入力される信号とを受け、受けた信号を合成して前記第２受信機に出力するカプラをさらに備える請求項１に記載の受信装置。
【請求項３】
前記分配器から入力される信号と、前記第２アンテナ素子から入力される信号とを受け、受けた信号の片方を選択して前記第２受信機に出力するスイッチをさらに備える請求項１に記載の受信装置。
【請求項４】
前記第２受信機として、複数の第２アンテナ素子に１対１で対応し、対応する第２アンテナ素子で受信されたチャンネル信号と前記分配器により分配された校正信号とのアナログデジタル変換を行う複数の第２受信機を備える請求項１から３のいずれか１項に記載の受信装置。
【発明の詳細な説明】
【技術分野】
【０００１】
本発明は、受信装置に関するものである。
【背景技術】
【０００２】
複数の受信チャンネルを持つ受信装置において、初期の振幅及び位相は、熱等の環境条件、経年変化等によりチャンネル間で変動する。このチャンネル間で変動する振幅及び位相を同一にするため、校正が行われる。受信装置の校正に関する従来技術は、大きく２つに分類することができる。
【０００３】
第１の従来方式は、図３に示すように、受信装置２００のハードウェア内部に専用の校正回路を設ける方式である（例えば、特許文献１参照）。
【０００４】
第１の従来方式では、受信装置２００が、アンテナ素子Ａ１〜Ａｎと、多重回路Ｍ１〜Ｍｎと、受信機Ｒ１〜Ｒｎと、分配器２３０と、校正信号発生源２４０と、信号処理器２５０とを備える。多重回路Ｍ１〜Ｍｎは、アンテナ素子Ａ１〜Ａｎに１対１で対応する。受信機Ｒ１〜Ｒｎも、アンテナ素子Ａ１〜Ａｎに１対１で対応する。ここで、ｎはアンテナ素子数に相当する。
【０００５】
第１の従来方式では、ハードウェア内部の校正信号発生源２４０から送信された校正信号が分配器２３０に入力され、多重回路Ｍ１〜Ｍｎに分配され、アンテナ素子Ａ１〜Ａｎに伝送され、信号処理器２５０に入力される。このように、校正信号がアンテナ素子Ａ１〜Ａｎの各々に対応する受信機Ｒ１〜Ｒｎに入力され、信号処理器２５０において各チャンネルに発生する振幅及び位相の誤差が検出され、補正される。
【０００６】
第２の従来方式は、図４に示すように、外部から既知の校正信号３１０を受信装置３００へ入力し、校正を実施する方式である（例えば、特許文献２参照）。
【０００７】
第２の従来方式では、受信装置３００が、アンテナ素子Ａ１〜Ａｎと、受信機Ｒ１〜Ｒｎと、信号処理器３５０とを備え、送信装置３２０が、アンテナ素子３３０と、校正信号発生源３４０とを備える。受信機Ｒ１〜Ｒｎは、アンテナ素子Ａ１〜Ａｎに１対１で対応する。ここで、ｎはアンテナ素子数に相当する。
【０００８】
第２の従来方式では、送信装置３２０の校正信号発生源３４０で生成された校正信号Ｗ１〜Ｗｎが送信装置３２０のアンテナ素子３３０により放射され、受信装置３００のアンテナ素子Ａ１〜Ａｎに入力され、受信装置３００の受信機Ｒ１〜Ｒｎに伝送され、受信装置３００の信号処理器３５０に入力される。このように、校正信号Ｗ１〜Ｗｎがアンテナ素子Ａ１〜Ａｎの各々に対応する受信機Ｒ１〜Ｒｎに入力され、信号処理器３５０において各チャンネルに発生する振幅及び位相の誤差が検出され、補正される。
【先行技術文献】
【特許文献】
【０００９】
【特許文献１】特開２００４−２３７４２号公報
【特許文献２】特開２００２−１４１７３０号公報
【発明の概要】
【発明が解決しようとする課題】
【００１０】
第１の従来方式では、校正信号発生源を含む校正専用回路をハードウェア内部に実装しているため、ハードウェアの構成が大規模となるという課題がある。第２の従来方式では、校正専用回路が不要となるが、全てのアンテナに校正信号が入力されなければ、各チャンネルの受信機の校正を実施することができないという課題がある。すなわち、一部のアンテナが校正信号を受信できない場合、当該一部のアンテナに対応するチャンネルの受信機が校正されず、振幅及び位相の誤差を補正することができないという課題がある。
【００１１】
本発明は、大規模なハードウェア構成を必要とすることなく、複数の受信機の校正を確実に実施できるようにすることを目的とする。
【課題を解決するための手段】
【００１２】
本発明の一態様に係る受信装置は、
第１アンテナ素子で受信されたチャンネル信号と校正信号とのアナログデジタル変換を行う第１受信機と、
前記第１アンテナ素子で受信された校正信号を分配する分配器と、
第２アンテナ素子で受信されたチャンネル信号と前記分配器により分配された校正信号とのアナログデジタル変換を行う第２受信機と、
前記第１受信機と前記第２受信機とのそれぞれによる変換後のチャンネル信号のデジタル信号処理を行うとともに、前記第１受信機と前記第２受信機とのそれぞれによる変換後の校正信号に基づいて、前記第１受信機と前記第２受信機とのそれぞれの校正を行う信号処理器とを備える。
【発明の効果】
【００１３】
本発明では、第１アンテナ素子で受信された校正信号に基づいて、第１アンテナ素子に対応する第１受信機の校正だけでなく、第１アンテナ素子とは別のアンテナ素子である第２アンテナ素子に対応する第２受信機の校正も実施される。このため、大規模なハードウェア構成を必要とすることなく、第１受信機及び第２受信機の両方の校正を確実に実施できるようになる。
【図面の簡単な説明】
【００１４】
【図１】実施の形態１に係る受信装置の構成を示すブロック図。
【図２】実施の形態２に係る受信装置の構成を示すブロック図。
【図３】第１の従来方式における受信装置の構成を示すブロック図。
【図４】第２の従来方式における受信装置及び送信装置の構成を示すブロック図。
【発明を実施するための形態】
【００１５】
以下、本発明の実施の形態について、図を用いて説明する。なお、各図中、同一又は相当する部分には、同一符号を付している。実施の形態の説明において、同一又は相当する部分については、その説明を適宜省略又は簡略化する。
【００１６】
実施の形態１．
本実施の形態に係る装置の構成、本実施の形態に係る装置の動作、本実施の形態の効果を順番に説明する。
【００１７】
＊＊＊構成の説明＊＊＊
図１を参照して、本実施の形態に係る装置である受信装置１００の構成を説明する。
【００１８】
受信装置１００は、ｎ個の受信チャンネルを持ち、チャンネル間の振幅及び位相の変動を補正する校正機能を有している。ｎは、本実施の形態では３以上の整数であるが、２でもよい。
【００１９】
受信装置１００は、第１アンテナ素子１０１と、第２アンテナ素子１０２と、分配器１２０と、カプラ１３０と、第１受信機１４１と、第２受信機１４２と、信号処理器１５０とを備える。
【００２０】
本実施の形態において、受信装置１００は、第１アンテナ素子１０１として、アンテナ素子Ａ１を備え、第２アンテナ素子１０２として、アンテナ素子Ａ２〜Ａｎを備える。受信装置１００は、カプラ１３０として、アンテナ素子Ａ２〜Ａｎに１体１で対応するカプラＣ２〜Ｃｎを備える。受信装置１００は、第１受信機１４１として、アンテナ素子Ａ１に対応する受信機Ｒ１を備え、第２受信機１４２として、アンテナ素子Ａ２〜Ａｎに１体１で対応する受信機Ｒ２〜Ｒｎを備える。
【００２１】
分配器１２０は、１入力ｎ出力の回路であり、入力端子がアンテナ素子Ａ１に接続され、出力端子が受信機Ｒ１とカプラＣ２〜Ｃｎとに接続されている。
【００２２】
カプラＣ２〜Ｃｎは、２入力１出力の回路であり、ｋ＝２，・・・，ｎとしたとき、入力端子が分配器１２０とアンテナ素子Ａｋとに接続され、出力端子がアンテナ素子Ａｋに対応する受信機Ｒｋに接続されている。カプラＣ２〜Ｃｎは、分配器１２０から入力される信号と、第２アンテナ素子１０２であるアンテナ素子Ａ２〜Ａｎのそれぞれから入力される信号とを受け、受けた信号を合成して第２受信機１４２である受信機Ｒ２〜Ｒｎのそれぞれに出力する。カプラＣ２〜Ｃｎは、具体的には、方向性結合器である。
【００２３】
本実施の形態において、外部から到来する既知の校正信号１１０は、アンテナ素子Ａ１のみに入力される。
【００２４】
＊＊＊動作の説明＊＊＊
図１を参照して、本実施の形態に係る装置である受信装置１００の動作を説明する。受信装置１００の動作は、本実施の形態に係る受信方法に相当する。
【００２５】
まず、通常のチャンネル信号がアンテナ素子Ａ１で受信された場合の動作を説明する。
【００２６】
この場合、第１アンテナ素子１０１であるアンテナ素子Ａ１で受信されたチャンネル信号は、分配器１２０を介して、第１受信機１４１である受信機Ｒ１に入力される。受信機Ｒ１は、入力されたチャンネル信号のアナログデジタル変換を行う。アナログデジタル変換後のチャンネル信号は、受信機Ｒ１から信号処理器１５０に入力される。信号処理器１５０は、入力されたチャンネル信号、すなわち、受信機Ｒ１による変換後のチャンネル信号のデジタル信号処理を行う。
【００２７】
次に、通常のチャンネル信号がアンテナ素子Ａｋで受信された場合の動作を説明する。ここで、ｋ＝２，・・・，ｎとする。
【００２８】
この場合、第２アンテナ素子１０２であるアンテナ素子Ａｋで受信されたチャンネル信号は、カプラＣｋを介して、第２受信機１４２である受信機Ｒｋに入力される。受信機Ｒｋは、入力されたチャンネル信号のアナログデジタル変換を行う。アナログデジタル変換後のチャンネル信号は、受信機Ｒｋから信号処理器１５０に入力される。信号処理器１５０は、入力されたチャンネル信号、すなわち、受信機Ｒｋによる変換後のチャンネル信号のデジタル信号処理を行う。
【００２９】
次に、既知の校正信号１１０がアンテナ素子Ａ１で受信された場合の動作を説明する。ここで、ｋ＝２，・・・，ｎとする。
【００３０】
この場合、第１アンテナ素子１０１であるアンテナ素子Ａ１で受信された校正信号１１０は、分配器１２０を介して、第１受信機１４１である受信機Ｒ１に入力されるとともに、分配器１２０により分配され、カプラＣｋを介して、第２受信機１４２である受信機Ｒｋに入力される。受信機Ｒ１は、入力された校正信号１１０のアナログデジタル変換を行う。アナログデジタル変換後の校正信号１１０は、受信機Ｒ１から信号処理器１５０に入力される。受信機Ｒｋも、受信機Ｒ１と同様に、入力された校正信号１１０のアナログデジタル変換を行う。アナログデジタル変換後の校正信号１１０は、受信機Ｒｋから信号処理器１５０に入力される。信号処理器１５０は、入力された校正信号１１０、すなわち、受信機Ｒ１〜Ｒｎのそれぞれによる変換後の校正信号１１０に基づいて、受信機Ｒ１〜Ｒｎのそれぞれの校正を行う。具体的には、受信機Ｒ１〜Ｒｎのそれぞれによる変換後の校正信号１１０には、変換前の校正信号１１０の振幅及び位相を示す情報が含まれており、信号処理器１５０は、この情報を用いて、受信機Ｒ１〜Ｒｎのそれぞれで発生する振幅及び位相の誤差を検出し、この誤差を補正する。
【００３１】
＊＊＊実施の形態の効果の説明＊＊＊
本実施の形態では、第１アンテナ素子１０１で受信された校正信号１１０に基づいて、第１アンテナ素子１０１に対応する第１受信機１４１の校正だけでなく、第１アンテナ素子１０１とは別のアンテナ素子である第２アンテナ素子１０２に対応する第２受信機１４２の校正も実施される。このため、大規模なハードウェア構成を必要とすることなく、第１受信機１４１及び第２受信機１４２の両方の校正を確実に実施できるようになる。
【００３２】
本実施の形態では、受信機Ｒ１〜Ｒｎの前段に分配器１２０及びカプラＣ２〜Ｃｎを配置しているため、校正信号１１０を全てのアンテナ素子Ａ１〜Ａｎに入力する必要がなく、１つのアンテナ素子Ａ１に入力するだけで全ての受信機Ｒ１〜Ｒｎの校正が可能になる。校正専用回路をハードウェア内部に実装する必要がないため、ハードウェアの構成の複雑化を回避でき、受信装置１００の小型化も可能になる。
【００３３】
本実施の形態では、複数あるアンテナのいずれか１つに入力された校正信号１１０を分配できればよく、アンテナの方向が統一されていなくても校正が実施可能である。よって、ハードウェアとしてアンテナを任意に配置できる。
【００３４】
本実施の形態では、受信機Ｒ１〜Ｒｎの稼働中も受信機Ｒ１〜Ｒｎの校正を実施することができる。
【００３５】
＊＊＊他の構成＊＊＊
本実施の形態では、校正信号１１０がアンテナ素子Ａ１に入力されるが、校正信号１１０がアンテナ素子Ａ１以外のアンテナ素子に入力される場合でも、分配器１２０の配置を変更することにより、受信機Ｒ１〜Ｒｎの校正が実施可能となる。すなわち、アンテナ素子Ａ１〜Ａｎのいずれが第１アンテナ素子１０１であっても、入力端子が第１アンテナ素子１０１に接続され、出力端子が第１受信機１４１と（ｎ−１）個のカプラ１３０とに接続された分配器１２０が受信装置１００に備えられていればよい。なお、アンテナ素子Ａ１〜Ａｎのいずれが第１アンテナ素子１０１であっても、受信機Ｒ１〜Ｒｎのうち、第１アンテナ素子１０１に対応するものが第１受信機１４１となる。
【００３６】
本実施の形態では、受信装置１００が分配器１２０を１つしか備えていないが、受信装置１００は、分配器１２０を２つ以上備えていてもよい。すなわち、入力端子が第１アンテナ素子１０１に接続され、出力端子が第１受信機１４１と（ｎ−ｍ）個のカプラ１３０とに接続されたｍ個の分配器１２０が受信装置１００に備えられていてもよい。ｍは、２以上（ｎ−１）以下の整数である。具体例として、ｍ＝２とすると、アンテナ素子Ａ１のほかにアンテナ素子Ａ２〜Ａｎのいずれかが第１アンテナ素子１０１となる。なお、アンテナ素子Ａ２〜Ａｎのいずれが第１アンテナ素子１０１であっても、受信機Ｒ２〜Ｒｎのうち、第１アンテナ素子１０１に対応するものが第１受信機１４１となる。
【００３７】
実施の形態２．
本実施の形態に係る装置の構成、本実施の形態に係る装置の動作、本実施の形態の効果を順番に説明する。主に実施の形態１との差異を説明する。
【００３８】
＊＊＊構成の説明＊＊＊
図２を参照して、本実施の形態に係る装置である受信装置１００の構成を説明する。
【００３９】
受信装置１００は、実施の形態１のものと同じように、ｎ個の受信チャンネルを持ち、チャンネル間の振幅及び位相の変動を補正する校正機能を有している。ｎは、本実施の形態では３以上の整数であるが、２でもよい。
【００４０】
受信装置１００は、実施の形態１のものと同じように、第１アンテナ素子１０１と、第２アンテナ素子１０２と、分配器１２０と、第１受信機１４１と、第２受信機１４２と、信号処理器１５０とを備える。受信装置１００は、実施の形態１のものと異なり、カプラ１３０に代えて、スイッチ１６０を備える。
【００４１】
本実施の形態において、受信装置１００は、スイッチ１６０として、アンテナ素子Ａ２〜Ａｎに１体１で対応するスイッチＳ２〜Ｓｎを備える。
【００４２】
分配器１２０は、１入力ｎ出力の回路であり、入力端子がアンテナ素子Ａ１に接続され、出力端子が受信機Ｒ１とスイッチＳ２〜Ｓｎとに接続されている。
【００４３】
スイッチＳ２〜Ｓｎは、２入力１出力の回路であり、ｋ＝２，・・・，ｎとしたとき、入力端子が分配器１２０とアンテナ素子Ａｋとに接続され、出力端子がアンテナ素子Ａｋに対応する受信機Ｒｋに接続されている。スイッチＳ２〜Ｓｎは、分配器１２０から入力される信号と、第２アンテナ素子１０２であるアンテナ素子Ａ２〜Ａｎのそれぞれから入力される信号とを受け、受けた信号の片方を選択して第２受信機１４２である受信機Ｒ２〜Ｒｎのそれぞれに出力する。スイッチＳ２〜Ｓｎが受けた信号のどちらを選択して出力するかは、予め定められたタイミングで、或いは、外部からの操作によって切り替えられるものとする。
【００４４】
＊＊＊動作の説明＊＊＊
図２を参照して、本実施の形態に係る装置である受信装置１００の動作を説明する。受信装置１００の動作は、本実施の形態に係る受信方法に相当する。
【００４５】
通常のチャンネル信号がアンテナ素子Ａ１で受信された場合の動作は、実施の形態１のものと同じであるため、説明を省略する。
【００４６】
まず、通常のチャンネル信号がアンテナ素子Ａｋで受信された場合の動作を説明する。ここで、ｋ＝２，・・・，ｎとする。
【００４７】
この場合、第２アンテナ素子１０２であるアンテナ素子Ａｋで受信されたチャンネル信号は、スイッチＳｋを介して、第２受信機１４２である受信機Ｒｋに入力される。受信機Ｒｋは、入力されたチャンネル信号のアナログデジタル変換を行う。アナログデジタル変換後のチャンネル信号は、受信機Ｒｋから信号処理器１５０に入力される。信号処理器１５０は、入力されたチャンネル信号、すなわち、受信機Ｒｋによる変換後のチャンネル信号のデジタル信号処理を行う。
【００４８】
次に、既知の校正信号１１０がアンテナ素子Ａ１で受信された場合の動作を説明する。ここで、ｋ＝２，・・・，ｎとする。
【００４９】
この場合、第１アンテナ素子１０１であるアンテナ素子Ａ１で受信された校正信号１１０は、分配器１２０を介して、第１受信機１４１である受信機Ｒ１に入力されるとともに、分配器１２０により分配され、スイッチＳｋを介して、第２受信機１４２である受信機Ｒｋに入力される。受信機Ｒ１は、入力された校正信号１１０のアナログデジタル変換を行う。アナログデジタル変換後の校正信号１１０は、受信機Ｒ１から信号処理器１５０に入力される。受信機Ｒｋも、受信機Ｒ１と同様に、入力された校正信号１１０のアナログデジタル変換を行う。アナログデジタル変換後の校正信号１１０は、受信機Ｒｋから信号処理器１５０に入力される。信号処理器１５０は、入力された校正信号１１０、すなわち、受信機Ｒ１〜Ｒｎのそれぞれによる変換後の校正信号１１０に基づいて、受信機Ｒ１〜Ｒｎのそれぞれの校正を行う。具体的には、受信機Ｒ１〜Ｒｎのそれぞれによる変換後の校正信号１１０には、変換前の校正信号１１０の振幅及び位相を示す情報が含まれており、信号処理器１５０は、この情報を用いて、受信機Ｒ１〜Ｒｎのそれぞれで発生する振幅及び位相の誤差を検出し、この誤差を補正する。
【００５０】
＊＊＊実施の形態の効果の説明＊＊＊
本実施の形態では、実施の形態１と同じように、第１アンテナ素子１０１で受信された校正信号１１０に基づいて、第１アンテナ素子１０１に対応する第１受信機１４１の校正だけでなく、第１アンテナ素子１０１とは別のアンテナ素子である第２アンテナ素子１０２に対応する第２受信機１４２の校正も実施される。このため、大規模なハードウェア構成を必要とすることなく、第１受信機１４１及び第２受信機１４２の両方の校正を確実に実施できるようになる。
【００５１】
本実施の形態では、受信機Ｒ１〜Ｒｎの前段に分配器１２０及びスイッチＳ２〜Ｓｎを配置しているため、校正信号１１０を全てのアンテナ素子Ａ１〜Ａｎに入力する必要がなく、１つのアンテナ素子Ａ１に入力するだけで全ての受信機Ｒ１〜Ｒｎの校正が可能になる。校正専用回路をハードウェア内部に実装する必要がないため、ハードウェアの構成の複雑化を回避でき、受信装置１００の小型化も可能になる。
【００５２】
＊＊＊他の構成＊＊＊
本実施の形態では、校正信号１１０がアンテナ素子Ａ１に入力されるが、校正信号１１０がアンテナ素子Ａ１以外のアンテナ素子に入力される場合でも、分配器１２０の配置を変更することにより、受信機Ｒ１〜Ｒｎの校正が実施可能となる。すなわち、アンテナ素子Ａ１〜Ａｎのいずれが第１アンテナ素子１０１であっても、入力端子が第１アンテナ素子１０１に接続され、出力端子が第１受信機１４１と（ｎ−１）個のスイッチ１６０とに接続された分配器１２０が受信装置１００に備えられていればよい。なお、アンテナ素子Ａ１〜Ａｎのいずれが第１アンテナ素子１０１であっても、受信機Ｒ１〜Ｒｎのうち、第１アンテナ素子１０１に対応するものが第１受信機１４１となる。
【００５３】
本実施の形態では、受信装置１００が分配器１２０を１つしか備えていないが、受信装置１００は、分配器１２０を２つ以上備えていてもよい。すなわち、入力端子が第１アンテナ素子１０１に接続され、出力端子が第１受信機１４１と（ｎ−ｍ）個のスイッチ１６０とに接続されたｍ個の分配器１２０が受信装置１００に備えられていてもよい。ｍは、２以上（ｎ−１）以下の整数である。具体例として、ｍ＝２とすると、アンテナ素子Ａ１のほかにアンテナ素子Ａ２〜Ａｎのいずれかが第１アンテナ素子１０１となる。なお、アンテナ素子Ａ２〜Ａｎのいずれが第１アンテナ素子１０１であっても、受信機Ｒ２〜Ｒｎのうち、第１アンテナ素子１０１に対応するものが第１受信機１４１となる。
【００５４】
以上、本発明の実施の形態について説明したが、これらの実施の形態のうち、２つ以上の実施の形態を組み合わせて実施しても構わない。或いは、これらの実施の形態のうち、１つの実施の形態又は２つ以上の実施の形態の組み合わせを部分的に実施しても構わない。具体的には、これらの実施の形態に係る受信装置１００の構成要素のうち、一部の構成要素のみを採用してもよい。なお、本発明は、これらの実施の形態に限定されるものではなく、必要に応じて種々の変更が可能である。
【符号の説明】
【００５５】
１００  受信装置、１０１  第１アンテナ素子、１０２  第２アンテナ素子、１１０  校正信号、１２０  分配器、１３０  カプラ、１４１  第１受信機、１４２  第２受信機、１５０  信号処理器、１６０  スイッチ、２００  受信装置、２３０  分配器、２４０  校正信号発生源、２５０  信号処理器、３００  受信装置、３２０  送信装置、３３０  アンテナ素子、３４０  校正信号発生源、３５０  信号処理器。
【図１】
2017143465.tif 000003
【図２】
2017143465.tif 000004
【図３】
2017143465.tif 000005
【図４】
2017143465.tif 000006